(57)【要約】【課題】洗濯機本体の振動を設置床に伝わりにくくして、低振動と低騒音化を実現する。【解決手段】洗濯機本体３０に側板３０ａの振動を低減する減衰手段４３を設けたものである。これによって、洗濯機本体３０の側板３０ａの共振は減衰手段４３により確実に低減される。また、側板３０ａの振動エネルギーが、減衰手段４３に消費されることにより、洗濯機本体３０の設置床に対する振動伝達エネルギーが小さくなるので、設置床の低振動化も図ることができる。【選択図】図１
2010057655.tif 000002
【特許請求の範囲】
【請求項１】
側板を有する洗濯機本体と、前記洗濯機本体内に弾性体により支持された外槽と、前記外槽内に回転可能に設けられた洗濯兼脱水槽と、前記洗濯兼脱水槽を回転させる駆動手段と、前記外槽の振動を抑制するダンパとを備え、前記洗濯機本体に前記側板の振動を低減する減衰手段を設けた洗濯機。
【請求項２】
減衰手段は、洗濯機本体の側板と天板の間に設けた請求項１記載の洗濯機。
【請求項３】
減衰手段は、洗濯機本体の側板と底板の間に設けた請求項１記載の洗濯機。
【請求項４】
減衰手段は、可撓性を有する袋体で構成し、前記袋体の内部と外部を連通する貫通孔を設けた請求項１〜３のいずれか１項に記載の洗濯機。
【請求項５】
袋体は、一辺を洗濯機本体の天板に接合し、他の１辺を前記洗濯機本体の側板に接合すると共に、前記天板の接合面積よりも前記側板の接合面積を大きくした請求項４記載の洗濯機。
【請求項６】
袋体は、一辺を洗濯機本体の底板に接合し、他の１辺を前記洗濯機本体の側板に接合すると共に、前記底板の接合面積よりも前記側板の接合面積を大きくした請求項４記載の洗濯機。
【請求項７】
減衰手段は、洗濯機本体の天板と側板の接合部に設けた請求項４または５記載の洗濯機。
【請求項８】
減衰手段は、洗濯機本体の底板と側板の接合部に設けた請求項４または６記載の洗濯機。
【請求項９】
袋体は、洗濯機本体との接合部以外の辺を外側に凸になる円弧状に形成した請求項４〜８のいずれか１項に記載の洗濯機。
【請求項１０】
袋体は、洗濯機本体との接合部以外の辺を内側に凸になる円弧状に形成した請求項４〜８のいずれか１項に記載の洗濯機。
【発明の詳細な説明】
【技術分野】
【０００１】
本発明は、洗濯機本体内に弾性的に支持した外槽内に回転自在に設けた洗濯兼脱水槽内で、洗濯物の洗濯、すすぎ、脱水（更に乾燥まで行う場合もある）を行う洗濯機に関するものである。
【背景技術】
【０００２】
従来、この種の洗濯機は、洗濯機本体の側壁に特定の固有振動数を持った板状の吸振器を取り付け、脱水定常時の本体側壁の共振による振動周期と吸振器の振動周期を半波長ずらすことによって、本体側壁の振動を相殺する構成が考えられていた（例えば、特許文献１参照）。また、ゴムなどの緩衝性材料により形成した有底円筒体の円筒内部に、開口部に蓋体を用いて高粘度のオイルを気密に封入し、上記蓋体の背面に洗濯機の筐体底面に固着するための係合爪を１ないし複数設けた構成とした脚装置により、脱水振動を低減することも考えられていた（例えば、特許文献２参照）。
【０００３】
図１５は、特許文献１に記載された従来の洗濯機の吸振器の構成を示すものである。図１５に示すように、振動体２は洗濯機本体の側壁１にビス３によって取り付けられている。脱水工程時にドラム（図示せず）の回転数が定常回転数の１４００ｒ／ｍｉｎに達し、洗濯機本体の側壁１が共振を始めるとき、洗濯機本体の側壁１に固定した板状の振動体２も同じ固有振動数を有しているため同様に振動を始める。このとき板状の振動体２の振動周期は、洗濯機本体の側壁１の振動周期より半波長ずれる傾向があり、このため洗濯機本体の側壁１の振動を打ち消す作用を呈す。
【０００４】
図１６は、特許文献２に記載された従来の洗濯機の脚装置の構成を示すものである。図１６に示すように、脚装置１０は、ゴムなどの緩衝性材料により形成した有底円筒体１１の円筒内部に高粘度のオイル１２を充填し、開口部を蓋体１３を用いて気密に封止してあり、１４は洗濯機の筐体底面（図示せず）に装着するための係止爪である。このように構成した脚装置１０は、洗濯機の設置面がコンクリートのような硬質床面、または軟質な木質床面に拘わらず、オイル１２のダンパー作用によって、一般の洗濯機に固有の振動数である８Ｈｚないし１０Ｈｚが、洗濯機の定常回転数の７５０ないし９００ｒ／ｍｉｎ、すなわち、１２．５Ｈｚないし１５Ｈｚより小さくなり、共振が起こらず振動の増大が発生しないものであった。
【特許文献１】特開平４−３５２９９４号公報
【特許文献２】特開平３−１３３４９７号公報
【発明の開示】
【発明が解決しようとする課題】
【０００５】
しかしながら、前記従来の特許文献１に記載の構成では、吸振器の固有振動数は一定であり、洗濯機本体の側壁の共振周波数が変化すると効果を発揮しない。更に、制振効果を得るためには振動板２を大きくする必要があり、設置スペースを必要とする等の問題を有していた。
【０００６】
また、前記従来の特許文献２に記載の構成では、オイル１２が気密に充填されているため洗濯機筐体の振動によるオイル１２の流動は小さく、大きなダンパ作用は得られず、共振時の洗濯機筐体の振動を低減できないという問題を有していた。
【０００７】
本発明は、前記従来の課題を解決するもので、洗濯機本体の共振振動を大きな設置スペースを必要とすることなく効率的に低減し、洗濯機本体の低振動と低騒音ならびに設置床
の振動低減を実現することを目的とする。
【課題を解決するための手段】
【０００８】
前記従来の課題を解決するために、本発明の洗濯機は、側板を有する洗濯機本体に前記側板の振動を低減する減衰手段を設けたものである。
【０００９】
これによって、洗濯機本体の側板の共振は減衰手段により確実に低減される。また、洗濯機本体の設置床に対する振動伝達エネルギーも小さくなるので、設置床の低振動化も図ることができる。
【発明の効果】
【００１０】
本発明の洗濯機は、洗濯機本体の共振を低減し、設置床への振動伝達エネルギーを小さくして設置床の振動も低減して、低振動と低騒音を実現することができる。
【発明を実施するための最良の形態】
【００１１】
第１の発明は、側板を有する洗濯機本体と、前記洗濯機本体内に弾性体により支持された外槽と、前記外槽内に回転可能に設けられた洗濯兼脱水槽と、前記洗濯兼脱水槽を回転させる駆動手段と、前記外槽の振動を抑制するダンパとを備え、前記洗濯機本体に前記側板の振動を低減する減衰手段を設けたことにより、洗濯機本体の側板の共振は減衰手段により確実に低減される。また、側板の振動エネルギーが、減衰手段に消費されることにより、洗濯機本体の設置床に対する振動伝達エネルギーが小さくなるので、設置床の低振動化も図ることができる。
【００１２】
第２の発明は、特に、第１の発明の減衰手段は、洗濯機本体の側板と天板の間に設けたことにより、洗濯機本体の振動による側板と天板の位置変動が減少し、側板の振動を低減することができる。
【００１３】
第３の発明は、特に、第１の発明の減衰手段は、洗濯機本体の側板と底板の間に設けたことにより、洗濯機本体の振動による側板と底板の位置変動が減少し、側板の振動を低減することができる。
【００１４】
第４の発明は、特に、第１〜第３のいずれか１つの発明の減衰手段は、可撓性を有する袋体で構成し、前記袋体の内部と外部を連通する貫通孔を設けたことにより、簡単な構成で安価に洗濯機本体の振動を低減することができる。
【００１５】
第５の発明は、特に、第４の発明の袋体は、一辺を洗濯機本体の天板に接合し、他の１辺を前記洗濯機本体の側板に接合すると共に、前記天板の接合面積よりも前記側板の接合面積を大きくしたことにより、側板に対する制振効果が増大し、更に洗濯機本体の振動を低減することができる。
【００１６】
第６の発明は、特に、第４の発明の袋体は、一辺を洗濯機本体の底板に接合し、他の１辺を前記洗濯機本体の側板に接合すると共に、前記底板の接合面積よりも前記側板の接合面積を大きくしたことにより、側板に対する制振効果が増大し、更に洗濯機本体の振動を低減することができる。
【００１７】
第７の発明は、特に、第４または第５の発明の減衰手段は、洗濯機本体の天板と側板の接合部に設けたことにより、洗濯機本体の強度を向上させると共に、洗濯機本体の共振時に発生する天板と側板の接合部の変形を低減し、側板の振動を効果的に低減することができる。
【００１８】
第８の発明は、特に、第４または第６の発明の減衰手段は、洗濯機本体の底板と側板の接合部に設けたことにより、洗濯機本体の強度を向上させると共に、洗濯機本体の共振時に発生する底板と側板の接合部の変形を低減し、側板の振動を効果的に低減することができる。
【００１９】
第９の発明は、特に、第４〜第８のいずれか１つの発明の袋体は、洗濯機本体との接合部以外の辺を外側に凸になる円弧状に形成したことにより、洗濯機本体の振動で適度に袋体が変形して減衰手段の効果を引き出すことができる。
【００２０】
第１０の発明は、特に、第４〜第８のいずれか１つの発明の袋体は、洗濯機本体との接合部以外の辺を内側に凸になる円弧状に形成したことにより、袋体の弾性が向上し、洗濯機本体の振動で更に袋体が変形して減衰手段で消費される振動エネルギーが多くなり、洗濯機本体の側板の振動を更に効果的に低減することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機の断面図、図２は、同洗濯機の正面の断面図を示すものである。
【００２３】
図１、図２において、洗濯機本体３０は、左右２枚の側板３０ａ、天板３０ｂ、底板３０ｃ、前面パネル３０ｄ、裏板３０ｅにより構成されている。外槽３３は、２本の弾性体３１と、２本のダンパ３２により洗濯機本体３０内に弾性支持されている。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。
【００２４】
制御装置３９は、洗濯機外枠３０の前面下部に設けられている。制御装置３９は、洗濯機本体３０の前面上部に設けられた操作表示手段４０により入力された設定内容に基づいて、洗い、すすぎ、脱水の各工程を逐次制御するもので、パワースイッチング手段（図示せず）を介してモータ３５、給水手段３６、排水手段３８などを逐次制御する。
【００２５】
弾性体３２は、オイルを作動流体とする粘性ダンパで、脱水起動時の外槽３３の共振振動振幅を低減するものであり、洗濯機本体３０の底板３０ｃと外槽３３の底部３３ａの間に緩衝体３２ａを介して回転自在に固定されている。脚４１は洗濯機本体３０の底板３０ｃの四隅に配置されている。引っ張りばね４２は外槽３３の姿勢を維持するもので、天板３０ｂと外槽３３の間に設けられている。減衰手段４３はブチルゴムのように損失係数の高い材料で構成されており、側板３０ａの内側に貼り付けられている。
【００２６】
以上のように構成された洗濯機について、以下その動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転して、衣類を持ち上げては落とすというたたき洗いを規定時間行う。
【００２７】
洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。脱水起動時、洗濯兼脱水槽３４の回転数が２５０から３００ｒ／ｍｉｎの間は、洗濯物の偏り状態によって外槽３３が前後左右に揺れながら大きく上下動する場合がある。
【００２８】
この時、外槽３３の上下動は、弾性体３１により緩衝され、ダンパ３２により減衰される。また、外槽３３の振動伝達も軽減されることになる。しかし、多少は弾性体３１と、ダンパ３２と、引っ張りばね４２を介して洗濯機本体３０の天板３０ｂや底板３０ｃに伝わり、洗濯機本体３０を振動させることになる。
【００２９】
この振動は、脚４１を介して設置床（図示せず）に伝わり、軟弱な床の場合、床が大きく振動することになる。しかしながら、側板３０ａの内側に貼り付けられた減衰手段４３が洗濯機本体３０の振動エネルギーを熱に変換して消費することになり、振動振幅と床への伝達は低減されることになる。
【００３０】
洗濯兼脱水槽３４の回転数が上昇して定常回転前の１０Ｈｚ前後に達すると、洗濯機本体３０が共振振動を始める。この振動も設置床を大きく振動させることになる。この振動も側板３０ａの内側に貼り付けられた減衰手段４３により熱に変換されて消費され、振動振幅と床への伝達は低減されることになる。
【００３１】
以上のように本実施の形態においては、側板３０ａに洗濯機本体３０の振動を抑える減衰手段４３を設けたことにより、洗濯機本体３０の振動は減衰手段４３により確実に低減される。また、洗濯機本体３０から設置床に伝わる振動エネルギーも小さくなるので、設置床の低振動化も図ることができる。
【００３２】
（実施の形態２）
図３は、本発明の第２の実施の形態における洗濯機の正面の断面図、図４は、同洗濯機の平面の断面図、図５は、同洗濯機の脱水工程での洗濯機本体の振動振幅を示すグラフである。
【００３３】
図３〜図５において、減衰手段４４は、オイルを作動流体とする粘性ダンパで、洗濯機本体３０の四隅で一端を側板取り付け部４４ａにより側板３０ａに固定され、他端を天板取り付け部４４ｂにより天板３０ｂに固定されている。側板取り付け部４４ａならびに天板取り付け部４４ｂは、自由度を有する自在継ぎ手としての球面継ぎ手で構成されており、減衰手段４４が正常に伸縮するようにしている。補強金具４５は両端を左右の側板３０ａの上部に固定することにより、洗濯機本体３０の強度を上げている。引っ張りばね４２は補強金具４５と外槽３３の間に設けられ、外槽３３の姿勢を制御している。その他の構成は実施の形態１と同様であり、同一の構成要素については同一の符号を付して、その詳細な説明は実施の形態１のものを援用する。
【００３４】
脱水工程において、洗濯兼脱水槽３４の回転周波数が、外槽３３の共振周波数５Ｈｚと、洗濯機本体３０の共振周波数である１０Ｈｚになると、洗濯機本体３０は減衰手段４４がない時は、図５の実線のように大きく振動する。洗濯機本体３０の振動により側板３０ａと天板３０ｂの相対位置が変化し、側板３０ａと天板３０ｂの間に設けた減衰手段４４が伸縮運動をする。この伸縮運動で減衰力が発生し、側板３０ａと天板３０ｂの相対位置が変化しないように働き、洗濯機本体３０の振動が図５に示す破線のように低減されることになる。すなわち、洗濯機本体３０の振動エネルギーが減衰手段４４によって熱に変換されたことになる。
【００３５】
このように、減衰手段４４を洗濯機本体３０の側板３０ａと天板３０ｂの間に設けたこ
とにより、洗濯機本体３０の振動による側板３０ａと天板３０ｂの位置変動が減少し、側板３０ａの振動を低減することができ、洗濯機本体３０の共振時の振動と設置床への振動伝達を効率よく抑えることができる。また、減衰手段４４を天板３０ｂの対角線上に配置したため、洗濯機本体３０の前後、左右、上下の３方向に効果を発揮することができる。なお、本実施の形態では、減衰手段４４を粘性ダンパとしたが、摺動摩擦を利用した摩擦ダンパにしても同様な効果を発揮する。
【００３６】
（実施の形態３）
図６は、本発明の第３の実施の形態における洗濯機の正面の断面図、図７は、同洗濯機の平面の断面図を示すものである。
【００３７】
図６、図７において、減衰手段４４は、オイルを作動流体とする粘性ダンパで、洗濯機本体３０の四隅で一端を側板取り付け部４４ａにより側板３０ａに固定され、他端を底板取り付け部４４ｃにより底板３０ｃに固定されている。側板取り付け部４４ａならびに底板取り付け部４４ｃは、自由度を有する自在継ぎ手としての球面継ぎ手で構成されており、減衰手段４４が正常に伸縮するようにしている。その他の構成は実施の形態１と同様であり、同一の構成要素については同一の符号を付して、その詳細な説明は実施の形態１のものを援用する。
【００３８】
脱水工程において、洗濯兼脱水槽３４の回転周波数が、外槽３３の共振周波数５Ｈｚと、洗濯機本体３０の共振周波数である１０Ｈｚになると、洗濯機本体３０は大きく振動する。その振動の形態は、側板３０ａと底板３０ｃの取り付け角度が大きく変化するものである。側板３０ａと底板３０ｃの間に減衰手段４４を設けることで、減衰手段４４が伸縮運動をする。この伸縮運動で減衰力が発生し、側板３０ａと底板３０ｃの取り付け角度が変化しないように働き、洗濯機本体３０の振動が低減されることになる。すなわち、洗濯機本体３０の振動エネルギーが減衰手段４４によって熱に変換されたことになる。
【００３９】
このように、減衰手段４４を洗濯機本体３０の側板３０ａと底板３０ｃの間に設けたことにより、洗濯機本体３０の振動による側板３０ａと底板３０ｃの取り付け角度の変化が減少し、側板３０ａの振動を更に低減することができ、洗濯機本体３０の共振時の振動と設置床への振動伝達を効率よく抑えることができる。また、減衰手段４４を底板３０ｃの対角線上に配置したため、洗濯機本体３０の前後、左右、上下の３方向に効果を発揮することができる。なお、本実施の形態では、減衰手段４４を粘性ダンパとしたが、摺動摩擦を利用した摩擦ダンパにしても同様な効果を発揮する。
【００４０】
（実施の形態４）
図８は、本発明の第４の実施の形態における洗濯機の要部の断面図を示すものである。図８において、可撓性のゴムで形成した袋体４６ａの一辺を側板３０ａに、他辺を天板３０ｂに固着している。袋体４６ａの断面は直角三角形であり、側板３０ａならびに天板３０ｂに固着されていない辺４６ｃに袋体４６ａの内部と外部を連通する貫通孔４６ｂが設けられている。貫通孔４６ｂの開口径は、空気が流入もしくは流出する時の流路抵抗で減衰力が発生するように１ｍｍ前後に設定している。その他の構成は実施の形態１と同様であり、同一の構成要素については同一の符号を付して、その詳細な説明は実施の形態１のものを援用する。
【００４１】
脱水工程において、洗濯兼脱水槽３４の回転周波数が、外槽３３の共振周波数５Ｈｚと、洗濯機本体３０の共振周波数である１０Ｈｚになると、洗濯機本体３０は大きく振動する。洗濯機本体３０の振動により側板３０ａと天板３０ｂの相対位置が変化し、側板３０ａと天板３０ｂの間に設けた減衰手段４６の袋体４６ａが伸縮運動をする。この伸縮運動で袋体４６ａの内部の空気が貫通孔４６ｂを通って流出、流入を繰り返す。この時に減衰
力が発生し、側板３０ａと天板３０ｂの相対位置の変化を抑制するように働き、洗濯機本体３０の振動が低減されることになる。すなわち、洗濯機本体３０の振動エネルギーが減衰手段４６に消費されたことになる。
【００４２】
このように、減衰手段４６を洗濯機本体３０の側板３０ａと天板３０ｂの間に設けたことにより、洗濯機本体３０の振動による側板３０ａと天板３０ｂの位置変動が減少し、側板３０ａの振動を低減することができ、洗濯機本体３０の共振時の振動と設置床への振動伝達を効率よく抑えることができる。
【００４３】
（実施の形態５）
図９は、本発明の第５の実施の形態における洗濯機の要部の断面図を示すものである。図９において、可撓性のゴムで形成した袋体４６ａの第１の辺４６ｅを側板３０ａに固着し、第２の辺４６ｄを天板３０ｂに固着している。袋体４６ａの断面は直角三角形であり、側板３０ａならびに天板３０ｂに固着されていない辺４６ｃに袋体４６ａの内部と外部を連通する貫通孔４６ｂが設けられている。第１の辺４６ｅの大きさは、第２の辺４６ｄより大きくしている。その他の構成は実施の形態１と同様であり、同一の構成要素については同一の符号を付して、その詳細な説明は実施の形態１のものを援用する。
【００４４】
袋体４６ａの一辺を洗濯機本体３０の天板３０ｂに接合し、他の１辺を洗濯機本体３０の側板３０ａに接合すると共に、天板３０ｂと第２の辺４６ｄの接合面積よりも側板３０ａと第１の辺４６ｅの接合面積を大きくしたことにより、側板３０ａに対する制振効果が増大することになり、更に洗濯機本体３０の振動を低減することができる。
【００４５】
（実施の形態６）
図１０は、本発明の第６の実施の形態における洗濯機の要部の断面図を示すものである。図１０において、可撓性のゴムで形成した袋体４６ａの第１の辺４６ｅを側板３０ａに、第２の辺４６ｄを底板３０ｃに固着している。袋体４６ａの断面は直角三角形であり、側板３０ａならびに底板３０ｃに固着されていない辺４６ｃに袋体４６ａの内部と外部を連通する貫通孔４６ｂが設けられている。第１の辺４６ｅの大きさは、第２の辺４６ｄより大きくしている。その他の構成は実施の形態１と同様であり、同一の構成要素については同一の符号を付して、その詳細な説明は実施の形態１のものを援用する。
【００４６】
袋体４６ａの一辺を洗濯機本体３０の底板３０ｃに接合し、他の１辺を洗濯機本体３０の側板３０ａに接合すると共に、底板３０ｃと第２の辺４６ｄの接合面積よりも側板３０ａと第１の辺４６ｅの接合面積を大きくしたことにより、側板３０ａに対する制振効果が増大することになり、更に洗濯機本体３０の振動を効率よく低減することができる。また、洗濯機本体３０の設置床に対する振動伝達を更に小さくすることができ、設置床の振動とそれに起因する騒音を低減することができる。
【００４７】
（実施の形態７）
図１１は、本発明の第７の実施の形態における洗濯機の要部の斜視図を示すものである。図１１において、減衰手段４６は天板３０ｂと側板３０ａの接合部４７に固着されている。その他の構成は実施の形態１と同様であり、同一の構成要素については同一の符号を付して、その詳細な説明は実施の形態１のものを援用する。
【００４８】
これにより、洗濯機本体３０の強度を向上させると共に、洗濯機本体３０の共振時に発生する天板３０ｂと側板３０ａの接合部４７の変形を低減し、側板３０ａの振動を効果的に低減することができる。
【００４９】
（実施の形態８）
図１２は、本発明の第８の実施の形態における洗濯機の要部の斜視図を示すものである。図１２において、減衰手段４６は底板３０ｃと側板３０ａの接合部４８に固着されている。その他の構成は実施の形態１と同様であり、同一の構成要素については同一の符号を付して、その詳細な説明は実施の形態１のものを援用する。
【００５０】
これにより、洗濯機本体３０の強度を向上させると共に、洗濯機本体３０の共振時に発生する底板３０ｃと側板３０ａの接合部４８の変形を低減し、側板３０ａの振動を効果的に低減することができる。
【００５１】
また、本実施の形態７、８では、天板３０ｂと側板３０ａの接合部４７と、底板３０ｃと側板３０ａの接合部４８のどちらかに減衰手段４６を設けたが、両方に設けると更に良好な効果が得られる。
【００５２】
（実施の形態９）
図１３は、本発明の第９の実施の形態における洗濯機の要部の断面図を示すものである。図１３において、可撓性のゴムで形成した袋体４６ａの第１の辺４６ｅを側板３０ａに、第２の辺４６ｄを天板３０ｂに固着している。側板３０ａならびに天板３０ｂに固着されていない接合部以外の辺４６ｃに袋体４６ａの内部と外部を連通する貫通孔４６ｂが設けられている。接合部以外の辺４６ｃは外側に凸になる円弧状に形成したことにより、洗濯機本体３０の振動で適度に袋体４６ａが変形して減衰手段４６の効果を引き出すことができるようになっている。その他の構成は実施の形態１と同様であり、同一の構成要素については同一の符号を付して、その詳細な説明は実施の形態１のものを援用する。
【００５３】
これにより、脱水工程において、洗濯兼脱水槽３４の回転周波数が、外槽３３の共振周波数５Ｈｚと、洗濯機本体３０の共振周波数である１０Ｈｚになると、洗濯機本体３０は大きく振動する。洗濯機本体３０の振動により側板３０ａと天板３０ｂの相対位置が変化し、側板３０ａと天板３０ｂの間に設けた減衰手段４６の袋体４６ａが伸縮運動をする。接合部以外の辺４６ｃは外側に凸になる円弧状に形成したことにより、突っ張ることがなくスムーズに伸縮運動をすることになる。この伸縮運動で袋体４６ａの内部の空気が貫通孔４６ｂを通って流出、流入を繰り返す。この時に減衰力が発生し、側板３０ａと天板３０ｂの相対位置の変化を抑制するように働き、洗濯機本体３０の振動が低減されることになる。
【００５４】
（実施の形態１０）
図１４は、本発明の第１０の実施の形態における洗濯機の要部の断面図を示すものである。図１４において、可撓性のゴムで形成した袋体４６ａの第１の辺４６ｅを側板３０ａに、第２の辺４６ｄを天板３０ｂに固着している。側板３０ａならびに天板３０ｂに固着されていない接合部以外の辺４６ｃに袋体４６ａの内部と外部を連通する貫通孔４６ｂが設けられている。接合部以外の辺４６ｃは内側に凸になる円弧状に形成したことにより、洗濯機本体３０の振動で適度に袋体４６ａが変形して減衰手段４６の効果を引き出すことができるようになっている。その他の構成は実施の形態１と同様であり、同一の構成要素については同一の符号を付して、その詳細な説明は実施の形態１のものを援用する。
【００５５】
これにより、接合部以外の辺４６ｃを内側に凸になる円弧状に形成したことにより袋体４６ａの弾性が向上し、洗濯機本体３０の振動で更に袋体４６ａが変形して減衰手段４６で消費される振動エネルギーが多くなり、洗濯機本体３０の側板３０ａの振動を更に効果的に低減することができる。
【００５６】
上記の実施の形態では、洗濯兼脱水槽３４の回転軸は水平としたが、洗濯兼脱水槽３４が前方高位に傾斜している場合でも同様の効果が得られる。
【産業上の利用可能性】
【００５７】
以上のように、本発明にかかる洗濯機は、洗濯機本体の共振を低減し、設置床への振動伝達エネルギーを小さくして設置床の振動も低減して、低振動と低騒音を実現することができるので、洗濯機以外の回転機械の防振の用途にも適用できる。
【図面の簡単な説明】
【００５８】
【図１】本発明の実施の形態１における洗濯機の断面図
【図２】同洗濯機の正面の断面図
【図３】本発明の実施の形態２における洗濯機の正面の断面図
【図４】同洗濯機の平面の断面図
【図５】同洗濯機の脱水工程での洗濯機本体の振動振幅を示すグラフ
【図６】本発明の実施の形態３における洗濯機の正面の断面図
【図７】同洗濯機の平面の断面図
【図８】本発明の実施の形態４における洗濯機の要部の断面図
【図９】本発明の実施の形態５における洗濯機の要部の断面図
【図１０】本発明の実施の形態６における洗濯機の要部の断面図
【図１１】本発明の実施の形態７における洗濯機の要部の斜視図
【図１２】本発明の実施の形態８における洗濯機の要部の斜視図
【図１３】本発明の実施の形態９における洗濯機の要部の断面図
【図１４】本発明の実施の形態１０における洗濯機の要部の断面図
【図１５】従来の洗濯機の振動体の断面図
【図１６】従来の洗濯機の脚装置の断面図
【符号の説明】
【００５９】
３０  洗濯機本体
３０ａ  側板
３０ｂ  天板
３０ｃ  底板
３１  弾性体
３２  ダンパ
３３  外槽
３４  洗濯兼脱水槽
３５  モータ（駆動手段）
４３  減衰手段
４４  減衰手段
４６  減衰手段
４６ａ  袋体
４６ｂ  貫通孔
４６ｃ  接合部以外の辺
４７  天板と側板の接合部
４８  底板と側板の接合部
【図１】
2010057655.tif 000003
【図２】
2010057655.tif 000004
【図３】
2010057655.tif 000005
【図４】
2010057655.tif 000006
【図５】
2010057655.tif 000007
【図６】
2010057655.tif 000008
【図７】
2010057655.tif 000009
【図８】
2010057655.tif 000010
【図９】
2010057655.tif 000011
【図１０】
2010057655.tif 000012
【図１１】
2010057655.tif 000013
【図１２】
2010057655.tif 000014
【図１３】
2010057655.tif 000015
【図１４】
2010057655.tif 000016
【図１５】
2010057655.tif 000017
【図１６】
2010057655.tif 000018